(57)【要約】【課題】子供を持つ子育て中の女性が希望する子供用設備を備えた商業施設を検索することができる商業施設検索システムを提供する。【解決手段】商業施設検索システム１０では、サーバ１２が、子供用設備を備えた商業施設の施設情報を記憶する施設情報記憶手段と、商業施設の子供用設備の設備情報を記憶する設備情報記憶手段と、携帯通信端末１１を利用して女性が設備情報の中から所定の設備情報を選択したときに、選択された設備情報に対応する子供用設備を備えた商業施設の施設情報を携帯通信端末１１に送信する施設情報送信手段とを有し、携帯通信端末１１が、選択された設備情報に対応する子供用設備を備えた商業施設の施設情報をサーバ１２から受信する施設情報受信手段と、サーバ１２から受信した商業施設の施設情報を表示する施設情報表示手段とを有する。【選択図】図１
2017083932.tif 000002
【特許請求の範囲】
【請求項１】
子供を持つ子育て中の女性が所持する携帯通信端末と、前記携帯通信端末がネットワークを介して接続可能なサーバとから形成され、子供用設備を備えた前記商業施設を検索可能な商業施設検索システムにおいて、
前記サーバが、前記子供用設備を備えた商業施設の施設情報を記憶する施設情報記憶手段と、前記商業施設の子供用設備の設備情報を記憶する設備情報記憶手段と、前記携帯通信端末を利用して前記女性が前記設備情報の中から所定の設備情報を選択したときに、選択された設備情報に対応する子供用設備を備えた商業施設の施設情報を前記携帯通信端末に送信する施設情報送信手段とを有し、前記携帯通信端末が、選択された設備情報に対応する子供用設備を備えた商業施設の施設情報を前記サーバから受信する施設情報受信手段と、前記サーバから受信した商業施設の施設情報を表示する施設情報表示手段とを有することを特徴とする商業施設検索システム。
【請求項２】
前記サーバが、前記携帯通信端末を利用して前記女性が子供用設備を備えた商業施設の中から所定の商業施設を選択したときに、選択された商業施設が備える子供用設備の設備情報を前記携帯通信端末に送信する設備情報送信手段を含み、前記携帯通信端末が、選択された商業施設が備える子供用設備の設備情報を前記サーバから受信する設備情報受信手段と、前記サーバから受信した子供用設備の設備情報を表示する設備情報表示手段とを含む請求項１に記載の商業施設検索システム。
【請求項３】
前記サーバが、前記商業施設における子供用設備の所在箇所を示す設備マップ情報を記憶する設備マップ情報記憶手段を含み、前記設備情報送信手段が、前記設備マップ情報を前記携帯通信端末に送信し、前記設備情報受信手段が、前記設備マップ情報を前記サーバから受信し、前記設備情報表示手段が、前記サーバから受信した設備マップ情報を表示する請求項２に記載の商業施設検索システム。
【請求項４】
前記サーバが、前記商業施設における子供用設備の使用料金情報を記憶する使用料金情報記憶手段を含み、前記設備情報送信手段が、前記子供用設備の使用料金情報を前記携帯通信端末に送信し、前記設備情報受信手段が、前記子供用設備の使用料金情報を前記サーバから受信し、前記設備情報表示手段が、前記サーバから受信した子供用設備の使用料金情報を表示する請求項２または請求項３に記載の商業施設検索システム。
【請求項５】
前記施設情報送信手段が、前記携帯通信端末を利用して前記女性が前記子供用設備の使用料金を指定したときに、指定された使用料金で使用可能な子供用設備を備えた商業施設の施設情報を前記携帯通信端末に送信し、前記施設情報受信手段が、指定された使用料金で使用可能な子供用設備を備えた商業施設の施設情報を受信し、前記施設情報表示手段が、指定された使用料金で使用可能な子供用設備を備えた商業施設の施設情報を表示する請求項４に記載の商業施設検索システム。
【請求項６】
前記設備情報送信手段が、前記携帯通信端末を利用して前記女性が前記子供用設備の使用料金を指定したときに、指定された使用料金で使用可能な商業施設の子供用設備の設備情報を前記携帯通信端末に送信し、前記設備情報受信手段が、指定された使用料金で使用可能な商業施設の子供用設備の設備情報を受信し、前記設備情報表示手段が、指定された使用料金で使用可能な商業施設の子供用設備の設備情報を表示する請求項４または請求項５に記載の商業施設検索システム。
【請求項７】
前記サーバが、前記商業施設の子育て支援の支援情報を記憶する支援情報記憶手段を含み、前記施設情報記憶手段が、前記子育て支援を実施する商業施設の施設情報を記憶し、前記施設情報送信手段が、前記携帯通信端末を利用して前記女性が前記支援情報の中から所定の支援情報を選択したときに、選択された支援情報に対応する子育て支援を実施する商業施設の施設情報を前記携帯通信端末に送信し、前記施設情報受信手段が、選択された支援情報に対応する子育て支援を実施する商業施設の施設情報を前記サーバから受信し、前記施設情報表示手段が、選択された支援情報に対応する子育て支援を実施する商業施設の施設情報を表示する請求項１ないし請求項６いずれかに記載の商業施設検索システム。
【請求項８】
前記サーバが、前記携帯通信端末を利用して前記女性が子育て支援を実施する商業施設の中から所定の商業施設を選択したときに、選択された商業施設が実施する子育て支援の支援情報を前記携帯通信端末に送信する支援情報送信手段を含み、前記携帯通信端末が、選択された商業施設が実施する子育て支援の支援情報を前記サーバから受信する支援情報受信手段と、前記サーバから受信した子育て支援の支援情報を表示する支援情報表示手段とを含む請求項７に記載の商業施設検索システム。
【請求項９】
前記サーバが、前記商業施設における子育て支援の実施箇所を示す支援マップ情報を記憶する支援マップ情報記憶手段を含み、前記支援情報送信手段が、前記支援マップ情報を前記携帯通信端末に送信し、前記支援情報受信手段が、前記支援マップ情報を前記サーバから受信し、前記支援情報表示手段が、前記サーバから受信した支援マップ情報を表示する請求項８に記載の商業施設検索システム。
【請求項１０】
前記サーバが、前記商業施設における子育て支援の実施料金情報を記憶する実施料金情報記憶手段を含み、前記支援情報送信手段が、前記子育て支援の実施料金情報を前記携帯通信端末に送信し、前記支援情報受信手段が、前記子育て支援の実施料金情報を前記サーバから受信し、前記支援情報表示手段が、前記サーバから受信した子育て支援の実施料金情報を表示する請求項７ないし請求項９いずれかに記載の商業施設検索システム。
【請求項１１】
前記支援情報送信手段が、前記携帯通信端末を利用して前記女性が前記子育て支援の実施料金を指定したときに、指定された実施料金の子育て支援を実施する商業施設の施設情報を前記携帯通信端末に送信し、前記施設情報受信手段が、指定された実施料金の子育て支援を実施する商業施設の施設情報を受信し、前記施設情報表示手段が、指定された実施料金の子育て支援を実施する商業施設の施設情報を表示する請求項１０に記載の商業施設検索システム。
【請求項１２】
前記支援情報送信手段が、前記携帯通信端末を利用して前記女性が前記子育て支援の実施料金を指定したときに、指定された実施料金で実施される商業施設の子育て支援の支援情報を前記携帯通信端末に送信し、前記支援情報受信手段が、指定された実施料金で実施される商業施設の子育て支援の支援情報を受信し、前記支援情報表示手段が、指定された実施料金で実施される商業施設の子育て支援の支援情報を表示する請求項１０または請求項１１に記載の商業施設検索システム。
【請求項１３】
前記商業施設の子供用設備と子育て支援とが、審査委員会によって事前に審査され、前記審査委員会が、審査要件を具備した子供用設備と子育て支援とを認定しつつ、認定した子供用設備を備えた商業施設および認定した子育て支援を実施する商業施設に認定マークを発行し、前記認定マークが、前記商業施設の施設情報に表示される請求項７ないし請求項１２に記載の商業施設検索システム。
【発明の詳細な説明】
【技術分野】
【０００１】
本発明は、子供用設備を備えた商業施設を検索する商業施設検索システムに関する。
【背景技術】
【０００２】
利用者の属性情報を格納した個人情報データベースと、子育てに必要な複数の施設の利用可能地域の範囲情報を含む属性情報を格納した施設データベースとを利用可能であり、利用者端末から施設種別を含む施設検索希望を受け付け、施設検索希望を行った利用者の住所または住所を含む範囲指定データである生活圏情報を個人情報データベースより抽出する生活圏抽出部と、生活圏情報に基づいて施設データベースにおいて、範囲情報に対応する利用可能地域内に住所または住所を含む範囲指定データが含まれ、かつ、施設種別に該当する候補施設の属性情報を抽出する施設抽出部と、候補施設の属性情報を利用者端末に送信する出力処理部とを備えた子育て支援システムが開示されている（特許文献１参照）。
【先行技術文献】
【特許文献】
【０００３】
【特許文献１】特開２００５−２８４８４４号公報
【発明の概要】
【発明が解決しようとする課題】
【０００４】
前記特許文献１に開示の子育て支援システムは、利用者に対応した子育てに必要な施設や費用に関する情報を提供することはできるが、所定の子供用設備を備えた商業施設や商業施設で実施される子育て支援を検索することはできない。子供を持つ子育て中の女性が子供とともに所定の商業施設へ出かける場合、子供が遊べるインドアプレイグラウンドや屋内遊び場、子供の世話を行う屋内設備等の子供用設備があるか、または、子育て支援を実施する商業施設であるかは商業施設を選ぶ基準の１つになる。商業施設では、そのような子供用設備を各商業施設毎のホームページにおいて公開し、来客の便宜を図っているが、子育て中の女性が商業施設に出かける前に希望する子供用設備を備えた商業施設や子育て支援を実施する商業施設を自ら検索することはできない。また、商業施設に備えられた各種の子供用設備の充実度や子供用設備の使い勝手等、子育て支援の支援内容や支援時間等を比較検討しつつ、複数の商業施設の中から所望の子供用設備を備えた商業施設や所望の子育て支援を実施する商業施設を探し出すことはできない。
【０００５】
本発明の目的は、子供を持つ子育て中の女性が希望する子供用設備を備えた商業施設や所望の子育て支援を実施する商業施設を検索することができる商業施設検索システムを提供することにある。本発明の他の目的は、商業施設に備えられた各種の子供用設備の充実度や子供用設備の使い勝手等、子育て支援の支援内容や支援時間等を比較検討することができ、複数の商業施設の中から所望の子供用設備を備えた商業施設や所望の子育て支援を実施する商業施設を探し出すことができる商業施設検索システムを提供することにある。
【課題を解決するための手段】
【０００６】
前記課題を解決するための本発明の前提は、子供を持つ子育て中の女性が所持する携帯通信端末と、携帯通信端末がネットワークを介して接続可能なサーバとから形成され、子供用設備を備えた商業施設を検索可能な商業施設検索システムである。
【０００７】
前記前提における本発明の商業施設検索システムの特徴は、サーバが、子供用設備を備えた商業施設の施設情報を記憶する施設情報記憶手段と、商業施設の子供用設備の設備情報を記憶する設備情報記憶手段と、携帯通信端末を利用して女性が設備情報の中から所定の設備情報を選択したときに、選択された設備情報に対応する子供用設備を備えた商業施設の施設情報を携帯通信端末に送信する施設情報送信手段とを有し、携帯通信端末が、選択された設備情報に対応する子供用設備を備えた商業施設の施設情報をサーバから受信する施設情報受信手段と、サーバから受信した商業施設の施設情報を表示する施設情報表示手段とを有することにある。
【０００８】
本発明の商業施設検索システムの一例としては、サーバが、携帯通信端末を利用して女性が子供用設備を備えた商業施設の中から所定の商業施設を選択したときに、選択された商業施設が備える子供用設備の設備情報を携帯通信端末に送信する設備情報送信手段を含み、携帯通信端末が、選択された商業施設が備える子供用設備の設備情報をサーバから受信する設備情報受信手段と、サーバから受信した子供用設備の設備情報を表示する設備情報表示手段とを含む。
【０００９】
本発明の商業施設検索システムの他の一例としては、サーバが商業施設における子供用設備の所在箇所を示す設備マップ情報を記憶する設備マップ情報記憶手段を含み、設備情報送信手段が設備マップ情報を携帯通信端末に送信し、設備情報受信手段が設備マップ情報をサーバから受信し、設備情報表示手段がサーバから受信した設備マップ情報を表示する。
【００１０】
本発明の商業施設検索システムの他の一例としては、サーバが商業施設における子供用設備の使用料金情報を記憶する使用料金情報記憶手段を含み、設備情報送信手段が子供用設備の使用料金情報を携帯通信端末に送信し、設備情報受信手段が子供用設備の使用料金情報をサーバから受信し、設備情報表示手段がサーバから受信した子供用設備の使用料金情報を表示する。
【００１１】
本発明の商業施設検索システムの他の一例としては、施設情報送信手段が携帯通信端末を利用して女性が子供用設備の使用料金を指定したときに、指定された使用料金で使用可能な子供用設備を備えた商業施設の施設情報を携帯通信端末に送信し、施設情報受信手段が指定された使用料金で使用可能な子供用設備を備えた商業施設の施設情報を受信し、施設情報表示手段が指定された使用料金で使用可能な子供用設備を備えた商業施設の施設情報を表示する。
【００１２】
本発明の商業施設検索システムの他の一例としては、設備情報送信手段が携帯通信端末を利用して女性が子供用設備の使用料金を指定したときに、指定された使用料金で使用可能な商業施設の子供用設備の設備情報を携帯通信端末に送信し、設備情報受信手段が指定された使用料金で使用可能な商業施設の子供用設備の設備情報を受信し、設備情報表示手段が指定された使用料金で使用可能な商業施設の子供用設備の設備情報を表示する。
【００１３】
本発明の商業施設検索システムの他の一例としては、サーバが商業施設の子育て支援の支援情報を記憶する支援情報記憶手段を含み、施設情報記憶手段が子育て支援を実施する商業施設の施設情報を記憶し、施設情報送信手段が携帯通信端末を利用して女性が支援情報の中から所定の支援情報を選択したときに、選択された支援情報に対応する子育て支援を実施する商業施設の施設情報を携帯通信端末に送信し、施設情報受信手段が選択された支援情報に対応する子育て支援を実施する商業施設の施設情報をサーバから受信し、施設情報表示手段が選択された支援情報に対応する子育て支援を実施する商業施設の施設情報を表示する。
【００１４】
本発明の商業施設検索システムの他の一例としては、サーバが、携帯通信端末を利用して女性が子育て支援を実施する商業施設の中から所定の商業施設を選択したときに、選択された商業施設が実施する子育て支援の支援情報を携帯通信端末に送信する支援情報送信手段を含み、携帯通信端末が、選択された商業施設が実施する子育て支援の支援情報をサーバから受信する支援情報受信手段と、サーバから受信した子育て支援の支援情報を表示する支援情報表示手段とを含む。
【００１５】
本発明の商業施設検索システムの他の一例としては、サーバが商業施設における子育て支援の実施箇所を示す支援マップ情報を記憶する支援マップ情報記憶手段を含み、支援情報送信手段が支援マップ情報を携帯通信端末に送信し、支援情報受信手段が支援マップ情報をサーバから受信し、支援情報表示手段がサーバから受信した支援マップ情報を表示する。
【００１６】
本発明の商業施設検索システムの他の一例としては、サーバが商業施設における子育て支援の実施料金情報を記憶する実施料金情報記憶手段を含み、支援情報送信手段が子育て支援の実施料金情報を携帯通信端末に送信し、支援情報受信手段が子育て支援の実施料金情報をサーバから受信し、支援情報表示手段がサーバから受信した子育て支援の実施料金情報を表示する。
【００１７】
本発明の商業施設検索システムの他の一例としては、支援情報送信手段が携帯通信端末を利用して女性が子育て支援の実施料金を指定したときに、指定された実施料金の子育て支援を実施する商業施設の施設情報を携帯通信端末に送信し、施設情報受信手段が指定された実施料金の子育て支援を実施する商業施設の施設情報を受信し、施設情報表示手段が指定された実施料金の子育て支援を実施する商業施設の施設情報を表示する。
【００１８】
本発明の商業施設検索システムの他の一例としては、支援情報送信手段が記携帯通信端末を利用して女性が子育て支援の実施料金を指定したときに、指定された実施料金で実施される商業施設の子育て支援の支援情報を携帯通信端末に送信し、支援情報受信手段が指定された実施料金で実施される商業施設の子育て支援の支援情報を受信し、支援情報表示手段が指定された実施料金で実施される商業施設の子育て支援の支援情報を表示する。
【００１９】
本発明の商業施設検索システムの他の一例としては、商業施設の子供用設備と子育て支援とが審査委員会によって事前に審査され、審査委員会が審査要件を具備した子供用設備と子育て支援とを認定しつつ、認定した子供用設備を備えた商業施設および認定した子育て支援を実施する商業施設に認定マークを発行し、認定マークが商業施設の施設情報に表示される。
【発明の効果】
【００２０】
本発明にかかる商業施設検索システムによれば、女性が携帯通信端末を利用して商業施設の子供用設備を示す設備情報の中から所定の設備情報を選択したときに、選択された設備情報に対応する子供用設備を備えた商業施設の施設情報をサーバが携帯通信端末に送信し、選択された設備情報に対応する子供用設備を備えた商業施設の施設情報を携帯通信端末がサーバから受信しつつ、その商業施設の施設情報が携帯通信端末に表示されるから、女性が所持する携帯通信端末に所望の子供用設備を備えた商業施設を表示させることができ、商業施設に出かける前に希望する子供用設備を備えた商業施設を自ら検索することができる。商業施設検索システムは、選択した子供用設備を備えた商業施設を携帯通信端末にどこでもタイムリーに表示することができ、複数の商業施設の中から所望の子供用設備を備えた商業施設を探し出すことができる。
【００２１】
女性が携帯通信端末を利用して子供用設備を備えた商業施設の中から所定の商業施設を選択したときに、選択された商業施設が備える子供用設備の設備情報をサーバが携帯通信端末に送信し、選択された商業施設が備える子供用設備の設備情報を携帯通信端末がサーバから受信しつつ、その子供用設備の設備情報を表示する商業施設検索システムは、各商業施設に備えられた子供用設備の設備情報が携帯通信端末に表示されるから、携帯通信端末を利用して女性が所望の子供用設備を備えた商業施設を探し出したときに、携帯通信端末にその子供用設備の設備情報を表示させることができ、所持する携帯通信端末を利用して女性が子供用設備の詳細を知ることができる。商業施設検索システムは、携帯通信端末を介して子供用設備の設備情報を見ることで、商業施設に備えられた各種の子供用設備の使い易さや使い勝手等を比較検討することができ、子供用設備の使い易さや使い勝手等を参酌しつつ複数の商業施設の中から所定の商業施設を選ぶことができる。
【００２２】
商業施設における子供用設備の所在箇所を示す設備マップ情報をサーバが携帯通信端末に送信し、設備マップ情報を携帯通信端末がサーバから受信しつつ、その設備マップ情報を表示する商業施設検索システムは、所望の子供用設備を備えた商業施設を探し出したときに、その商業施設に備えられた子供用設備の設備マップ情報が携帯通信端末に表示されるから、所持する携帯通信端末を利用して商業施設に備えられた各種の子供用設備の設置場所や設置数等を知ることができ、商業施設における子供用設備の充実度を比較検討することができるとともに、子供用設備の設置場所や設置数等を参酌しつつ複数の商業施設の中から所定の商業施設を選ぶことができる。
【００２３】
子供用設備の使用料金情報をサーバが携帯通信端末に送信し、子供用設備の使用料金情報を携帯通信端末がサーバから受信しつつ、その子供用設備の使用料金情報を表示する商業施設検索システムは、子供用設備が有料の場合、その子供用設備の使用料金情報が携帯通信端末に表示されるから、所持する携帯通信端末を利用して商業施設に備えられた各種の子供用設備の使用料金を知ることができ、商業施設における子供用設備の使用料金の高低を比較検討することができるとともに、子供用設備の使用料金を検討することによって廉価な使用料金で子供用設備を利用することが可能な商業施設を選ぶことができる。
【００２４】
女性が携帯通信端末を利用して子供用設備の使用料金を指定したときに、指定された使用料金で使用可能な子供用設備を備えた商業施設の施設情報をサーバが携帯通信端末に送信し、指定された使用料金で使用可能な子供用設備を備えた商業施設の施設情報を携帯通信端末がサーバから受信しつつ、指定された使用料金で使用可能な子供用設備を備えた商業施設の施設情報を表示する商業施設検索システムは、女性が所持する携帯通信端末に指定した使用料金で利用可能な子供用設備を備えた商業施設を表示させることができ、指定した使用料金で利用可能な子供用設備を備えた商業施設を検索することができるとともに、所望の使用料金で利用可能な子供用設備を備えた商業施設を探し出すことができる。
【００２５】
女性が携帯通信端末を利用して子供用設備の使用料金を指定したときに、指定された使用料金で使用可能な商業施設の子供用設備の設備情報をサーバが携帯通信端末に送信し、指定された使用料金で使用可能な商業施設の子供用設備の設備情報を携帯通信端末がサーバから受信しつつ、指定された使用料金で使用可能な商業施設の子供用設備の設備情報を表示する商業施設検索システムは、女性が所持する携帯通信端末に指定した使用料金で利用可能な商業施設の子供用設備を表示させることができ、指定した使用料金で利用可能な商業施設の子供用設備を検索することができるとともに、所望の使用料金で利用可能な子供用設備を探し出すことができる。
【００２６】
女性が携帯通信端末を利用して支援情報の中から所定の支援情報を選択したときに、選択された支援情報に対応する子育て支援を実施する商業施設の施設情報をサーバが携帯通信端末に送信し、選択された支援情報に対応する子育て支援を実施する商業施設の施設情報を携帯通信端末がサーバから受信しつつ、子育て支援を実施する商業施設の施設情報を表示する商業施設検索システムは、女性が所持する携帯通信端末に選択した支援情報に対応する子育て支援を実施する商業施設の施設情報を表示させることができ、希望する子育て支援を実施する商業施設を検索することができる。商業施設検索システムは、選択した子育て支援を実施する商業施設を携帯通信端末にどこでもタイムリーに表示することができるから、複数の商業施設の中から所望の子育て支援を実施する商業施設を探し出すことができる。
【００２７】
女性が携帯通信端末を利用して子育て支援を実施する商業施設の中から所定の商業施設を選択したときに、選択された商業施設が実施する子育て支援の支援情報をサーバが携帯通信端末に送信し、選択された商業施設が実施する子育て支援の支援情報を携帯通信端末がサーバから受信しつつ、その子育て支援の支援情報を表示する商業施設検索システムは、各商業施設が実施する子育て支援の支援情報が携帯通信端末に表示されるから、携帯通信端末を利用して女性が所望の子育て支援を実施する商業施設を探し出したときに、携帯通信端末にその子育て支援の支援情報を表示させることができ、所持する携帯通信端末を利用して女性が子育て支援の詳細を知ることができる。商業施設検索システムは、携帯通信端末を介して子育て支援の支援情報を見ることで、商業施設が実施する各種の子育て支援の支援内容や支援時間、支援実施者等を比較検討することができ、子育て支援の支援内容や支援時間、支援実施者等を参酌しつつ複数の商業施設の中から所定の商業施設を選ぶことができる。
【００２８】
商業施設における子育て支援の実施箇所を示す支援マップ情報をサーバが携帯通信端末に送信し、支援マップ情報を携帯通信端末がサーバから受信しつつ、その支援マップ情報を表示する商業施設検索システムは、所望の子育て支援を実施する商業施設を探し出したときに、その商業施設の子育て支援の支援マップ情報が携帯通信端末に表示されるから、所持する携帯通信端末を利用して商業施設が実施する子育て支援の支援場所や支援場所までのルートを知ることができ、支援場所に迷わずに辿り着くことができる。
【００２９】
商業施設における子育て支援の実施料金情報をサーバが携帯通信端末に送信し、子育て支援の実施料金情報を携帯通信端末がサーバから受信しつつ、その子育て支援の実施料金情報を表示する商業施設検索システムは、子育て支援が有料の場合、その子育て支援の実施料金情報が携帯通信端末に表示されるから、所持する携帯通信端末を利用して商業施設が実施する子育て支援の実施料金を知ることができ、商業施設における子育て支援の実施料金の高低を比較検討することができるとともに、子育て支援の実施料金を参酌しつつ廉価な実施料金で子育て支援を利用することが可能な商業施設を選ぶことができる。
【００３０】
女性が携帯通信端末を利用して子育て支援の実施料金を指定したときに、指定された実施料金の子育て支援を実施する商業施設の施設情報をサーバが携帯通信端末に送信し、指定された実施料金の子育て支援を実施する商業施設の施設情報を携帯通信端末がサーバから受信しつつ、指定された実施料金の子育て支援を実施する商業施設の施設情報を表示する商業施設検索システムは、女性が所持する携帯通信端末に指定した実施料金で子育て支援を実施可能な商業施設を表示させることができ、指定した使用料金で子育て支援を実施可能な商業施設を検索することができるとともに、所望の実施料金で子育て支援を実施可能な商業施設を探し出すことができる。
【００３１】
女性が携帯通信端末を利用して子育て支援の実施料金を指定したときに、指定された実施料金で実施される商業施設の子育て支援の支援情報をサーバが携帯通信端末に送信し、指定された実施料金で実施される商業施設の子育て支援の支援情報を携帯通信端末がサーバから受信しつつ、指定された実施料金で実施される商業施設の子育て支援の支援情報を表示する商業施設検索システムは、女性が所持する携帯通信端末に指定した実施料金で実施可能な商業施設の子育て支援を表示させることができ、指定した実施料金で利用可能な商業施設の子育て支援を検索することができるとともに、所望の実施料金で利用可能な子育て支援を探し出すことができる。
【００３２】
商業施設の子供用設備と子育て支援とが審査委員会によって事前に審査され、審査委員会が審査要件を具備した子供用設備と子育て支援とを認定しつつ、認定した子供用設備を備えた商業施設および認定した子育て支援を実施する商業施設に認定マークを発行し、認定マークが商業施設の施設情報に表示される商業施設検索システムは、各商業施設の子供用設備および子育て支援を審査委員会が審査しつつ審査要件を具備する子供用設備および子育て支援を認定することで、不十分な子供用設備や子育て支援、劣悪な子供用設備や子育て支援を事前に排除することができ、子供用設備や子育て支援の虚偽や誇張が排除された各商業施設の実際の子供用設備や子育て支援を知ることができる。商業施設検索システムは、各商業施設の子供用設備および子育て支援が審査委員会によって保証されるから、子育て中の女性に各商業施設における子供用設備を安全かつ十分に利用させることができ、子育て中の女性に有益な子育て支援を受けさせることができる。
【図面の簡単な説明】
【００３３】
【図１】一例として示す商業施設検索システムの構成図。
【図２】メニュー画面の一例を示す図。
【図３】子供用設備検索画面の一例を示す図。
【図４】ショッピングモール表示画面の一例を示す図。
【図５】ショッピングモール詳細データ表示画面の一例を示す図。
【図６】屋内遊園地詳細表示画面の一例を示す図。
【図７】屋内遊園地料金表示画面の一例を示す図。
【図８】ナビゲーションマップ表示画面の一例を示す図。
【図９】子育て支援検索画面の一例を示す図。
【図１０】ショッピングモール表示画面の他の一例を示す図。
【図１１】ショッピングモール詳細データ表示画面の他の一例を示す図。
【図１２】子育て講習会詳細表示画面の一例を示す図。
【図１３】ナビゲーションマップ表示画面の他の一例を示す図。
【図１４】子供用設備選択画面の一例を示す図。
【図１５】ショッピングモール選択画面の一例を示す図。
【図１６】子育て支援選択画面の一例を示す図。
【図１７】ショッピングモール選択画面の他の一例を示す図。
【図１８】子供用設備料金指定画面の一例を示す図。
【図１９】子育て支援料金指定画面の一例を示す図。
【発明を実施するための形態】
【００３４】
一例として示す商業施設検索システム１０の構成図である図１等の添付の図面を参照し、本発明にかかる商業施設検索システムの詳細を説明すると、以下のとおりである。図１では、１台のノート型パソコン１１Ａ（携帯通信端末１１）や１台のタブレットＰＣ１１Ｂ（携帯通信端末１１）、１台のスマートフォン１１Ｃ（携帯通信端末１１）、１台の携帯電話１１Ｄ（携帯通信端末１１）、１台のサーバ１２を図示しているが、実際の商業施設検索システム１０ではインターネット１４（ネットワーク）を介して接続される各種複数のサーバが存在するとともに、インターネット１４を介して各サーバへアクセス可能な複数のノート型パソコン１１ＡやタブレットＰＣ１１Ｂ、スマートフォン１１Ｃ、携帯電話１１Ｄが存在する。
【００３５】
なお、携帯通信端末１１には携帯情報端末（ＰＤＡ）も含まれ、さらに、今後開発されるインターネット１４に接続可能なあらゆる携帯通信端末１１が含まれる。また、インターネット１４の他に、ノート型パソコン１１ＡやタブレットＰＣ１１Ｂ、スマートフォン１１Ｃ、携帯電話１１Ｄとサーバ１２とがＬＡＮやＷＡＮ等の他のネットワークによって接続される場合も含まれる。ノート型パソコン１１ＡタブレットＰＣ１１Ｂは、それぞれ機種が異なるとともにそれらを提供するメーカーが異なる。スマートフォン１１Ｃや携帯電話１１Ｄは、それぞれ機種が異なるとともにそれらを提供するキャリア（メーカー）が異なる。
【００３６】
商業施設検索システム１０は、子供を持つ子育て中の不特定多数の女性が所持する各種複数のノート型パソコン１１Ａや各種複数のタブレットＰＣ１１Ｂ、各種複数のスマートフォン１１Ｃ、各種複数の携帯電話１１Ｄと、それらノート型パソコン１１ＡやそれらタブレットＰＣ１１Ｂ、それらスマートフォン１１Ｃ、それら携帯電話１１Ｄがインターネット１４（ネットワーク）を介してログイン可能（接続可能）なサーバ１２と、サーバ１２にインターネット１４（ネットワーク）を介してログイン可能（接続可能）な各商業施設のサーバ１３とから形成されている。
【００３７】
なお、システム１０を管理する管理者とシステム１０に情報をアップデートする各商業施設との間に事前に利用契約が締結されているとともに、システム１０を管理する管理者とシステム１０を利用する女性（ユーザー）との間に事前にユーザー契約が締結されている。各商業施設のサーバ１３には、管理者（サーバ１２）からＩＤ番号とパスワードとが発行され、女性が使用権限を有する（保持する）各携帯通信端末１１には、管理者（サーバ１２）からＩＤ番号とパスワードとが発行されている。
【００３８】
商業施設検索システム１０は、子供を持つ子育て中の女性が子供用設備を備えた商業施設や子育て支援を実施する商業施設を検索し、ノート型パソコン１１Ａ、タブレットＰＣ１１Ｂ、スマートフォン１１Ｃ、携帯電話１１Ｄを介して子供用設備を備えた商業施設や子育て支援を実施する商業施設を閲覧する。商業施設としては、アウトレットモール、ロードサイド店舗、シネマコンプレックス、モール型ショッピングセンター、大型ショッピングセンター、アミューズメント施設等の複合商業施設、百貨店、総合スーパーマーケット、地下街等の商業施設があるが、商業施設には、今後作られるすべてのネーミングの商業施設が含まれる。
【００３９】
子供用設備としては、屋内遊園地、インドアプレイグラウンド、屋内遊び場、キッズスペース、ベビーカー貸し出し、子供用ショッピングカート、授乳室、託児室、乳幼児用設備、幼児用大便器、幼児用小便器、幼児用手摺、幼児用マルチシンク・バス・シャワーパン、おむつ交換設備、スロープ、ベビーチェアー等があるが、子供用設備には、今後作られる子供を対象にしたあらゆる設備が含まれる。屋内遊園地やインドアプレイグラウンド、屋内遊び場には、滑り台、ジャングルジム、ボールプール、メリーゴーランド、サイバーホール、エアートランポリン、風船ルーム、ミニＳＬ、ゲームセンター等がある。
【００４０】
子育て支援としては、商業設備において実施される子育て中の女性や子供を対象にした各種のイベント、子育て中の女性や子供を対象にした各種のショウ、子育て中の女性や子供を対象にした各種の講座・講習会、子育て中の女性を対象にした各種の相談会、子育て中の女性を対象にした各種のコンサルティング、地方自治体が実施する各種子育て支援対策の説明会、子供一時預かり等があるが、子育て支援には、今後実施される子供を対象としてあらゆる支援が含まれる。
【００４１】
商業施設検索システム１０を利用する各商業施設の子供用設備や各商業施設が実施する子育て支援は、事前に組織された審査委員会（認定委員会）によって審査され、審査要件を具備（クリア）した子供用設備や子育て支援のみが認定される。委員会によって認定された子供用設備（認定子供設備）を備えた商業施設や委員会によって認定された子育て支援（認定子育て支援）を実施する各企業には、委員会から発行された認定マーク１６が付与される。
【００４２】
商業施設検索システム１０は、各商業施設の子供用設備および子育て支援を審査委員会が審査しつつ審査要件を具備する子供用設備および子育て支援を認定することで、不十分な子供用設備や子育て支援、劣悪な子供用設備や子育て支援を事前に排除することができ、子供用設備や子育て支援の虚偽や誇張が排除された各商業施設の実際の子供用設備や子育て支援を知ることができる。商業施設検索システム１０は、各商業施設の子供用設備および子育て支援が審査委員会によって保証されるから、子育て中の女性に各商業施設における子供用設備を安全かつ十分に利用させることができ、子育て中の女性に有益な子育て支援を受けさせることができる。
【００４３】
ノート型パソコン１１Ａやサーバ１２、サーバ１３は、中央処理部（ＣＰＵまたはＭＰＵ）とメモリ（メインメモリおよびキャッシュメモリ）とを有して独立したオペレーティングシステム（ＯＳ）によって動作する物理的なコンピュータであり、大容量記憶領域（大容量ハードディスク等）を実装している。サーバ１２は、システム１０を管理する管理者（管理会社）が契約するデータセンター（クラウドを含む）に設置され、サーバ１３は、各商業施設が契約するデータセンター（クラウドを含む）に設置されている。なお、サーバ１２がシステム１０を管理する管理者（管理会社）の事業所に設置され、サーバ１３が各商業施設に設置される場合もある。
【００４４】
サーバ１２やサーバ１３は、ＤＮＳサーバ機能、データベースサーバ機能、Ｗｅｂサーバ機能、メールサーバ機能、ドキュメントサーバ機能の各種サーバ機能を有し、インターネット１４に接続された各種複数のＤＮＳサーバ等を経由しつつ、インターネット１４を利用してアクセス制限がない他のあらゆるサーバにアクセスすることができる。サーバ１２やサーバ１３には、図示はしていないが、キーボードやマウス等の入力装置、ディスプレイやプリンタ等の出力装置がインターフェイスを介して接続されている。
【００４５】
サーバ１２の記憶領域には、各商業施設（サーバ１３）のＵＲＬ、各商業施設（サーバ１３）のメールアドレス、各商業施設のサーバ１３のサーバ特定情報（サーバ特定識別子）、各商業施設の施設特定情報（施設特定識別子）、各商業施設の施設情報、各商業施設の子供用設備に対応する設備情報、各商業施設の子供用設備の設備マップ情報、各商業施設の子供用設備の使用料金情報、各商業施設の子育て支援に対応する支援情報、各商業施設の子育て支援の支援マップ情報、各商業施設の子育て支援の実施料金情報が格納（記憶）されている。サーバ特定情報としては、サーバ１３のＩＰアドレスやＭＡＣアドレス、ＵＲＬ、メールアドレス、Ｃｏｏｋｉｅ情報を利用することができる他、サーバによって生成されたユニークな識別子をサーバ特定情報にすることができる。
【００４６】
施設情報には、商業施設の所在地、営業時間、定休日、交通アクセス、駐車場収容台数、問い合わせ電話番号、ホームページ、支払方法（クレジットカード、電子マネー）、施設サービス（宅配サービス、送迎有無、補助犬同行、ペット同伴、バリアフリートイレ、託児スペース等）、飲食店数、衣料品店数等があるが、施設情報に特に制限はなく、商業施設に関するあらゆる情報が含まれる。設備情報には、子供用設備の設備画像（静止画や動画）、子供用設備の設備利用法、子供用設備の設備利用年齢等があるが、設備情報に特に制限はなく、子供用設備に関するあらゆる情報が含まれる。
【００４７】
設備マップ情報は、商業施設における子供用設備の所在箇所を示すナビゲーションマップである。使用料金情報は、商業施設の子供用設備が有料である場合、その使用料金に関する情報である。支援情報には、支援内容（イベント内容、講座・講習会内容、相談会内容、支援対策の説明会内容等）、支援年齢、支援の様子を表す支援画像（静止画や動画）等があるが、支援情報に特に制限はなく、子育ての支援に関するあらゆる情報が含まれる。支援マップ情報は、商業施設における子育て支援の実施箇所を示すナビゲーションマップである。実施料金情報は、商業施設の子育て支援が有料である場合、その実施料金に関する情報である。
【００４８】
サーバ１２の記憶領域には、ノート型パソコン１１ＡやタブレットＰＣ１１Ｂ、スマートフォン１１Ｃ、携帯電話１１Ｄを特定する携帯通信端末特定情報が格納されている。携帯通信端末特定情報としては、それら携帯通信端末１１のＩＰアドレスやＭＡＣアドレス、ＵＲＬ、メールアドレス、Ｃｏｏｋｉｅ情報、固体識別番号等を利用することができる他、携帯通信端末１１によって生成されたユニークな識別子を携帯通信端末特定情報にすることができる。
【００４９】
サーバ１２の記憶領域には、ノート型パソコン１１ＡやタブレットＰＣ１１Ｂ、スマートフォン１１Ｃ、携帯電話１１ＤのＵＲＬ、ノート型パソコン１１ＡやタブレットＰＣ１１Ｂ、スマートフォン１１Ｃ、携帯電話１１Ｄのメールアドレス、ノート型パソコン１１ＡやタブレットＰＣ１１Ｂ、スマートフォン１１Ｃ、携帯電話１１Ｄを使用する権限を有する女性の個人情報が格納されている。個人情報には、各携帯通信端末１１に付与されたＩＤ番号やパスワード、女性の氏名、住所、電話番号、ＦＡＸ番号、年齢、性別、子育て中の有無等がある。
【００５０】
サーバ１３の記憶領域には、システム管理者（サーバ１２）のＵＲＬ、システム管理者（サーバ１２）のメールアドレス、商業施設の施設特定情報（施設特定識別子）、商業施設の施設情報、商業施設の子供用設備に対応する設備情報、商業施設の子供用設備の設備マップ情報、商業施設の子供用設備の使用料金情報、商業施設の子育て支援に対応する支援情報、商業施設の子育て支援の支援マップ情報、商業施設の子育て支援の実施料金情報が格納（記憶）されている。
【００５１】
タブレットＰＣ１１Ｂやスマートフォン１１Ｃ、携帯電話１１Ｄは、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量記憶領域（大容量ハードディスク等）を実装している。ノート型パソコン１１ＡやタブレットＰＣ１１Ｂ、スマートフォン１１Ｃ、携帯電話１１Ｄ（以下、それら携帯通信端末１１という）は、それらのメモリに格納されたウェブブラウザを利用してインターネット１４に接続可能であり、インターネット１４を利用して不特定多数の他のサーバ（物理サーバや仮想サーバ）にアクセスかつログインすることができるとともに、インターネット１４において各種検索エンジンを利用することができる。
【００５２】
それら携帯通信端末１１は、サーバ１２のＵＲＬを使用してサーバ１２にアクセスかつログインすることができるとともに、インターネット１４を利用して各種情報をサーバ１２を含む他の複数の外部サーバに提供することができ、インターネット１４を利用して各種情報をサーバ１２を含む他の複数の外部サーバから受け取ることができる。それら携帯通信端末１１の記憶領域には、それらを特定する携帯通信端末特定情報、それらを使用する権限を有する女性の個人情報、システム管理者（サーバ１２）のＵＲＬ、システム管理者（サーバ１２）のメールアドレスが格納されている。
【００５３】
サーバ１２は、子供用設備を備えた商業施設および子育て支援を実施する商業施設の施設情報を記憶する施設情報記憶手段を実施し、商業施設に備えられた子供用設備の設備情報を記憶する設備情報記憶手段を実施する。サーバ１２は、商業施設において実施される子育て支援の支援情報を記憶する支援情報記憶手段を実施する。サーバ１２は、商業施設における子供用設備の所在箇所を示す設備マップ情報を記憶する設備マップ情報記憶手段を実施し、商業施設における子育て支援の実施箇所を示す支援マップ情報を記憶する支援マップ情報記憶手段を実施する。サーバ１２は、商業施設における子供用設備の使用料金情報を記憶する使用料金情報記憶手段を実施し、商業施設における子育て支援の実施料金情報を記憶する実施料金情報記憶手段を実施する。
【００５４】
所定の子供用設備を備えた各商業施設の施設情報や子育て支援を実施する各商業施設の施設情報、各商業施設の子供用設備の設備情報、各商業施設の子育て支援の支援情報、商業施設の設備マップ情報、商業施設の支援マップ情報、商業施設の子供用設備の使用料金情報、商業施設の子育て支援の実施料金情報は、インターネット１４を介して各商業施設のサーバ１３からサーバ１２に送信される場合、または、施設情報や設備情報、支援情報、設備マップ情報、支援マップ情報、使用料金情報、実施料金情報を記載した申請書が各商業施設からシステム１０の管理者に郵送され、その申請書に記載された情報がサーバ１２に入力される場合がある。なお、設備情報に対応する子供用設備や支援情報に対応する子育て支援は、認定委員会による審査を経て認定された子供用設備および子育て支援のみがサーバ１２に入力される。
【００５５】
各商業施設のサーバ１３は、サーバ１２との間で認証手続きを行った後、サーバ１２にログインし、各情報をサーバ１２に送信する。各商業施設のサーバ１３から送信された施設情報、または、サーバ１２に入力された各商業施設の施設情報は、商業施設の施設特定情報、サーバ１３のサーバ特定情報、格納日時に関連付けられた状態でサーバ１２の記憶領域に格納（記憶）される（施設情報記憶手段）。施設情報には、審査委員会から発行された認定マーク１６が表示される。各商業施設のサーバ１３から送信された子供用設備の設備情報、または、サーバ１２に入力された各商業施設の子供用設備の設備情報は、認定委員会の審査によって認定された後、商業施設の施設特定情報、サーバ１３のサーバ特定情報、格納日時に関連付けられた状態でサーバ１２の記憶領域に格納（記憶）される（設備情報記憶手段）。
【００５６】
各商業施設のサーバ１３から送信された子育て支援の支援情報、または、サーバ１２に入力された各商業施設の子育て支援の支援情報は、認定委員会の審査によって認定された後、商業施設の施設特定情報、サーバ１３のサーバ特定情報、格納日時に関連付けられた状態でサーバ１２の記憶領域に格納（記憶）される（支援情報記憶手段）。各商業施設のサーバ１３から送信された設備マップ情報や支援マップ情報、または、サーバ１２に入力された各商業施設の設備マップ情報や支援マップ情報は、商業施設の施設特定情報、サーバ１３のサーバ特定情報、格納日時に関連付けられた状態でサーバ１２の記憶領域に格納（記憶）される（設備マップ情報記憶手段、支援マップ情報記憶手段）。各商業施設のサーバ１３から送信された使用料金情報や実施料金情報、または、サーバ１２に入力された各商業施設の使用料金情報や実施料金情報は、商業施設の施設特定情報、サーバ１３のサーバ特定情報、格納日時に関連付けられた状態でサーバ１２の記憶領域に格納（記憶）される（使用料金情報記憶手段、実施料金情報記憶手段）。
【００５７】
サーバ１２は、商業施設の施設情報を携帯通信端末１１に送信する施設情報送信手段を実施する。施設情報送信手段では、携帯通信端末１１を利用して女性が設備情報の中から所定の設備情報を選択したときに、選択された設備情報に対応する子供用設備を備えた商業施設の施設情報や商業施設の設備情報、設備マップ情報、使用料金情報を携帯通信端末１１に送信する。施設情報送信手段では、携帯通信端末１１を利用して女性が子供用設備の使用料金を指定したときに、指定された使用料金で使用可能な子供用設備を備えた商業施設の施設情報や商業施設の設備情報、設備マップ情報、使用料金情報を携帯通信端末１１に送信する。施設情報送信手段では、携帯通信端末１１を利用して女性が支援情報の中から所定の支援情報を選択したときに、選択された支援情報に対応する子育て支援を実施する商業施設の施設情報や商業施設の設備情報、支援マップ情報、実施料金情報を携帯通信端末１１に送信する。
【００５８】
サーバ１２は、商業施設が備える子供用設備の設備情報、設備マップ情報、使用料金情報を携帯通信端末１１に送信する設備情報送信手段を実施する。設備情報送信手段では、携帯通信端末１１を利用して女性が子供用設備を備えた商業施設の中から所定の商業施設を選択したときに、選択された商業施設が備える子供用設備の設備情報を携帯通信端末１１に送信する。設備情報送信手段では、携帯通信端末１１を利用して女性が子供用設備の使用料金を指定したときに、指定された使用料金で使用可能な商業施設の子供用設備の設備情報を携帯通信端末１１に送信する。設備情報送信手段では、携帯通信端末１１を利用して女性が子供用設備の使用料金を指定したときに、指定された使用料金で使用可能な商業施設の子供用設備の設備情報を携帯通信端末１１に送信する。
【００５９】
サーバ１２は、商業施設が実施する子育て支援の支援情報、支援マップ情報、実施料金情報を携帯通信端末１１に送信する支援情報送信手段を実施する。支援情報送信手段では、携帯通信端末１１を利用して女性が子育て支援を実施する商業施設の中から所定の商業施設を選択したときに、選択された商業施設が実施する子育て支援の支援情報を携帯通信端末１１に送信する。支援情報送信手段では、携帯通信端末１１を利用して女性が子育て支援の実施料金を指定したときに、指定された実施料金の子育て支援を実施する商業施設の施設情報を携帯通信端末１１に送信する。支援情報送信手段では、携帯通信端末１１を利用して女性が子育て支援の実施料金を指定したときに、指定された実施料金で実施される商業施設の子育て支援の支援情報を携帯通信端末１１に送信する。
【００６０】
携帯通信端末１１は、設備情報に対応する子供用設備を備えた商業施設の施設情報や支援情報に対応する子育て支援を実施する商業施設の施設情報をサーバ１２から受信する施設情報受信手段を実施する。施設情報受信手段では、指定された使用料金で使用可能な子供用設備を備えた商業施設の施設情報や指定された実施料金の子育て支援を実施する商業施設の施設情報を受信する。携帯通信端末１１は、サーバから受信した商業施設の施設情報を表示する施設情報表示手段を実施する。施設情報表示手段では、指定された使用料金で使用可能な子供用設備を備えた商業施設の施設情報や指定された実施料金の子育て支援を実施する商業施設の施設情報を表示する。
【００６１】
携帯通信端末１１は、各商業施設が備える子供用設備の設備情報、子供用設備の使用料金情報、設備マップ情報をサーバ１２から受信する設備情報受信手段を実施する。設備情報受信手段では、指定された使用料金で使用可能な商業施設の子供用設備の設備情報をサーバ１２から受信する。携帯通信端末１１は、サーバ１２から受信した子供用設備の設備情報、子供用設備の使用料金情報、設備マップ情報を表示する設備情報表示手段を実施する。設備情報表示手段では、指定された使用料金で使用可能な商業施設の子供用設備の設備情報を表示する。
【００６２】
携帯通信端末１１は、商業施設が実施する子育て支援の支援情報、子育て支援の実施料金情報、支援マップ情報をサーバ１２から受信する支援情報受信手段を実施する。支援情報受信手段では、指定された実施料金で実施される商業施設の子育て支援の支援情報を受信する。携帯通信端末１１は、サーバ１２から受信した子育て支援の支援情報、子育て支援の実施料金情報、支援マップ情報を表示する支援情報表示手段を実施する。支援情報表示手段では、指定された実施料金で実施される商業施設の子育て支援の支援情報を表示する。
【００６３】
図２は、スマートフォン１１Ｃのタッチパネル１５に表示されたメニュー画面の一例を示す図であり、図３は、スマートフォン１１Ｃのタッチパネル１５に表示された子供用設備検索画面の一例を示す図である。図４は、スマートフォン１１Ｃのタッチパネル１５に表示されたショッピングモール表示画面の一例を示す図であり、図５は、スマートフォン１１Ｃのタッチパネル１５に表示されたショッピングモール詳細データ表示画面の一例を示す図である。図６は、スマートフォン１１Ｃのタッチパネル１５に表示された屋内遊園地詳細表示画面の一例を示す図であり、図７は、スマートフォン１１Ｃのタッチパネル１５に表示された屋内遊園地料金表示画面の一例を示す図である。図８は、スマートフォン１１Ｃのタッチパネル１５に表示されたナビゲーションマップ表示画面の一例を示す図である。
【００６４】
図２〜図８では、スマートフォン１１Ｃのみを図示し、商業施設としてショッピングモールを例として商業施設検索システム１０を説明するとともに、サーバ１２とスマートフォン１１Ｃとがインターネット１４を介した通信によって接続される場合を例としてシステム１０を説明する（以下の図において同じ）。なお、サーバ１２とスマートフォン１１Ｃとの間でメールの送受信が行われ、メールの送受信によってシステム１０の各手段が実施される場合もある。
【００６５】
女性がスマートフォン１１Ｃを起動させると、図示はしていないが、他のアイコンとともに商業施設検索アイコン（図示せず）を表示した待ち受け画面がスマートフォン１１Ｃのタッチパネル１５に表示される。女性が商業施設検索アイコンをタップすると、スマートフォン１１Ｃがインターネット１４に接続され、サーバ１２とスマートフォン１１Ｃとの間で認証手続きを行う認証画面（図示せず）がタッチパネル１５に表示される。認証が終了すると、スマートフォン１１Ｃがサーバ１２にログインする。
【００６６】
スマートフォン１１Ｃがサーバ１２にログインすると、図２に示すメニュー画面がスマートフォン１１Ｃのタッチパネル１５に表示される。図２のメニュー画面には、子供用設備検索ボタン２ａ、子育て支援検索ボタン２ｂ、子供用設備を備えたショッピングモール検索ボタン２ｃ、子育て支援を実施するショッピングモール検索ボタン２ｄ、子供用設備使用料金指定ボタン２ｅ、子育て支援実施料金指定ボタン２ｆ、戻るボタン２ｇ、アプリ履歴ボタン２ｈが表示される。戻るボタン２ｇをタップすると、１つ前の画面（待ち受け画面）に戻り（以下の図の戻るボタンにおいて同じ）、スマートフォン１１Ｃがサーバ１２からログアウトする。  
【００６７】
子供用設備を選択することで各商業施設を検索する場合、図２のメニュー画面において子供用設備検索ボタン２ａをタップする。子供用設備検索ボタン２ａをタップすると、サーバ１２から子供用設備一覧がスマートフォン１１Ｃに送信され、図３に示す子供用設備検索画面がスマートフォン１１Ｃのタッチパネル１５に表示される。図３の子供用設備検索画面には、各種の子供用設備（設備情報）を表示した子供用設備選択エリア３ａ、子供用設備を入力する子供用設備入力エリア３ｂ、決定ボタン３ｃ、クリアボタン３ｄ、戻るボタン３ｅ、メニューボタン３ｆが表示される。メニューボタン３ｆをタップすると、図２のメニュー画面がタッチパネル１５に表示される（以下のメニューボタンにおいて同じ）。
【００６８】
図３の子供用設備検索画面の子供用設備選択エリア３ａには、子供用設備として、「屋内遊園地」、「キッズスペース」、「授乳室」、「託児室」、「ベビーカー貸し出し」、「おむつ交換設備」、「乳幼児用設備」が表示されているが、子供用設備選択エリア３ａを下フリックまたはスワイプすることで、子供用設備選択エリア３ａが下方へスクロールし、その他の多数の子供用設備が表示される。子供用設備選択エリア３ａに表示された子供用設備以外に希望する子供用設備がある場合は、子供用設備入力エリア３ｂにその子供用設備を入力する。
【００６９】
女性は子供用設備選択エリア３ａから所定の子供用設備を選択し（図３では「屋内遊園地」、「キッズスペース」、「授乳室」を選択）、決定ボタン３ｃをタップすると、図４に示すショッピングモール表示画面がスマートフォン１１Ｃのタッチパネル１５に表示される。図４のショッピングモール表示画面には、図３の子供用設備検索画面において選択された子供用設備を表示した子供用設備表示エリア４ａ、選択された子供用設備を備えた複数のショッピングモールを表示したショッピングモール表示エリア４ｂ、戻るボタン４ｃ、メニューボタン４ｄが表示される。
【００７０】
ショッピングモール表示エリア４ｂには、各ショッピングモールのショッピングモール名、各ショッピングモールの外観画像を表示したショッピングモール画像表示エリア４ｅ（画像の図示は省略）、各ショッピングモールの地図や詳細データを表示させるデータ表示ボタン４ｆが表示される。データ表示ボタン４ｆの地図をタップすると、各ショッピングモールの地図（図示せず）がタッチパネル１５に表示される。ショッピングモール表示エリア４ｂのショッピングモール名の右方には、認定マーク１６が表示されている。認証マーク１６として「BabyFriendly」を例示しているが、認証マーク１６に特に制限はなく、文字や記号、図形、またはそれらの結合であってもよい。図４のショッピングモール表示エリア４ｂを下フリックまたはスワイプすることで、ショッピングモール表示エリア４ｂが下方へスクロールし、その他の多数のショッピングモールが表示される。
【００７１】
ショッピングモールの詳細データを表示するには、ショッピングモール表示エリア４ｂに表示された所望のショッピングモールのデータ表示ボタン４ｆの詳細データをタップする（図４ではＡショッピングモールをタップ）。データ表示ボタン４ｆの詳細データをタップすると、選択された子供用設備（設備情報）を備えたＡショッピングモール（商業施設）の詳細データ（施設情報）がサーバ１２からスマートフォン１１Ｃに送信される（施設情報送信手段）。スマートフォン１１Ｃは、選択された子供用設備（設備情報）を備えたＡショッピングモール（商業施設）の詳細データ（施設情報）をサーバ１２から受信し（施設情報受信手段）、Ａショッピングモール（商業施設）の詳細データ（施設情報）を表示した図５に示すショッピングモール詳細データ表示画面をタッチパネル１５に表示する（施設情報表示手段）。
【００７２】
図５のショッピングモール詳細データ表示画面には、Ａショッピングモールの各種基本データを表示した基本データ表示エリア５ａ、Ａショッピングモールの各種サービスデータを表示したサービス表示エリア５ｂ、Ａショッピングモールに備えられた子供用設備（設備情報）を表示した子供用設備表示エリア５ｃ、ナビゲーションマップボタン５ｄ、戻るボタン５ｅ、メニューボタン５ｆが表示される。基本データ表示エリア５ａには、Ａショッピングモールの住所、営業時間、定休日、交通アクセス、駐車場、問い合わせ、ホームページの各項目に対応したデータが表示される。なお、基本データは図示のそれらのみならず、商業施設に関する他のあらゆる基本データが含まれる。
【００７３】
サービス表示エリア５ｂには、飲食点数、バリアフリートイレ、送迎、補助犬同行、ペット同伴、クレジットカード、電子マネー、宅配サービス、ＡＴＭ、コインロッカーの各項目に対応したデータが表示される。なお、サービスデータは図示のそれらのみならず、商業施設に関する他のあらゆるサービスデータが含まれる。子供用設備表示エリア５ｃには、「屋内遊園地」、「キッズスペース」、「授乳室」、「ベビーカー貸し出し」、「託児室」とともに、詳細表示ボタン５ｇが表示される。
【００７４】
商業施設検索システム１０は、女性がスマートフォン１１Ｃを利用してショッピングモール（商業施設）の子供用設備（設備情報）の中から所定の子供用設備（設備情報）を選択したときに、選択された子供用設備を備えたショッピングモールの詳細データ（施設情報）をサーバ１２がスマートフォン１１Ｃに送信し、選択された子供用設備（設備情報）を備えたショッピングモールの詳細データをスマートフォン１１Ｃがサーバ１２から受信しつつ、そのショッピングモールの詳細データがスマートフォン１１Ｃに表示されるから、女性が所持するスマートフォン１１Ｃに所望の子供用設備を備えたショッピングモールを表示させることができ、ショッピングモールに出かける前に希望する子供用設備を備えたショッピングモールを自ら検索することができる。商業施設検索システム１０は、選択した子供用設備を備えたショッピングモールをスマートフォン１１Ｃにどこでもタイムリーに表示することができ、複数のショッピングモールの中から所望の子供用設備を備えたショッピングモールを探し出すことができる。
【００７５】
子供用設備の詳細データを表示するには、子供用設備表示エリア５ｃに表示された各子供用設備のうち、所定の子供用設備の詳細表示ボタン５ｇをタップする（図５では屋内遊園地の詳細表示ボタン５ｇをタップ）。詳細表示ボタン５ｇをタップすると、選択された子供用設備の詳細データ（設備情報）がサーバ１２からスマートフォン１１Ｃに送信される（設備情報送信手段）。スマートフォン１１Ｃは、選択された子供用設備の詳細データ（設備情報）をサーバ１２から受信し（設備情報受信手段）、Ａショッピングモール（商業施設）に備えられた子供用設備の詳細データ（設備情報）を表示した図６に示す屋内遊園地詳細表示示画面をタッチパネル１５に表示する（設備情報表示手段）。
【００７６】
図６の屋内遊園地詳細表示画面には、ジャングルジム表示エリア６ａ、ボールプール表示エリア６ｂ、ミニＳＬ表示エリア６ｃ、ゲームセンター表示エリア６ｄ、メリーゴーランド表示エリア６ｅ、エアートランポリン表示エリア６ｆ、ナビゲーションマップボタン６ｇ、戻るボタン６ｈ、メニューボタン６ｉが表示される。各表示エリア６ａ〜６ｆには、各遊具の画像を表示した遊具画像表示エリア６ｊ（画像の図示は省略）が表示されるとともに、遊び方ボタン６ｋと料金ボタン６ｌとが表示される。遊び方ボタンをタップすることで、各遊具の遊び方を表示した遊び方表示画面（図示せず）がタッチパネル１５に表示される。
【００７７】
屋内遊園地の遊具の使用料金を表示するには、料金ボタン６ｌをタップする（図６ではミニＳＬ表示エリア６ｃの料金ボタン６ｌをタップ）。料金ボタン６ｌをタップすると、選択された屋内遊園地の遊具（ミニＳＬ）（子供用設備）の使用料金（使用料金情報）がサーバ１２からスマートフォン１１Ｃに送信される（設備情報送信手段）。スマートフォン１１Ｃは、選択された遊具（ミニＳＬ）（子供用設備）の使用料金（使用料金情報）をサーバ１２から受信し（設備情報受信手段）、Ａショッピングモール（商業施設）に備えられた遊具（ミニＳＬ）（子供用設備）の使用料金（使用料金情報）を表示した図７に示す屋内遊園地料金表示画面をタッチパネル１５に表示する（設備情報表示手段）。
【００７８】
図７の屋内遊園地料金表示画面には、選択された屋内遊園地の遊具（ミニＳＬ）（子供用設備）の使用料金（使用料金情報）を表示した使用料金表示エリア７ａ、戻るボタン７ｂ、メニューボタン７ｃが表示される。使用料金表示エリア７ａには、遊具（ミニＳＬ）の画像を表示した遊具画像表示エリア７ｄ（画像の図示は省略）が表示されるとともに、その遊具（ミニＳＬ）の使用料金と遊び方ボタン７ｅとが表示される。
【００７９】
商業施設検索システム１０は、屋内遊園地の遊具（子供用設備）が有料の場合、その遊具の使用料金情報がスマートフォン１１Ｃに表示されるから、所持するスマートフォン１１Ｃを利用してショッピングモール（商業施設）に備えられた各種の子供用設備の使用料金を知ることができ、ショッピングモールにおける子供用設備の使用料金の高低を比較検討することができるとともに、子供用設備の使用料金を検討することによって廉価な使用料金で子供用設備を利用することが可能なショッピングモールを選ぶことができる。
【００８０】
Ａショッピングモールにおける各子供設備の所在箇所を表示するには、図５のショッピングモール詳細データ表示画面のナビゲーションマップボタン５ｄまたは図６の屋内遊園地詳細表示画面のナビゲーションマップボタン６ｇをタップする。ナビゲーションマップボタン５ｄ，６ｇをタップすると、Ａショッピングモールにおける各子供設備の所在箇所を示すナビゲーションマップ（設備マップ情報）がサーバ１２からスマートフォン１１Ｃに送信される（設備情報送信手段）。スマートフォン１１Ｃは、ナビゲーションマップ（設備マップ情報）をサーバ１２から受信し（設備情報受信手段）、ナビゲーションマップ（設備マップ情報）を表示した図８に示すナビゲーションマップ表示画面をタッチパネル１５に表示する（設備情報表示手段）。図８のナビゲーションマップ表示画面には、Ａショッピングモールの全体図とともに、Ａショッピングモールにおける子供設備（屋内遊園地、キッズスペース、授乳室、ベビーカー貸し出し、託児室）の所在箇所が表示される。
【００８１】
商業施設検索システム１０は、所望の子供用設備を備えたショッピングモール（商業施設）を探し出したときに、そのショッピングモールに備えられた子供用設備のナビゲーションマップ（設備マップ情報）がスマートフォン１１Ｃに表示されるから、所持するスマートフォン１１Ｃを利用してショッピングモールに備えられた各種の子供用設備の設置場所や設置数等を知ることができ、ショッピングモールにおける子供用設備の充実度を比較検討することができるとともに、子供用設備の設置場所や設置数等を参酌しつつ複数のショッピングモールの中から所定のショッピングモールを選ぶことができる。
【００８２】
図９は、スマートフォン１１Ｃのタッチパネル１５に表示された子育て支援検索画面の一例を示す図であり、図１０は、スマートフォン１１Ｃのタッチパネル１５に表示されたショッピングモール表示画面の他の一例を示す図である。図１１は、スマートフォン１１Ｃのタッチパネル１５に表示されたショッピングモール詳細データ表示画面の他の一例を示す図であり、図１２は、スマートフォン１１Ｃのタッチパネル１５に表示された子育て講習会詳細表示画面の一例を示す図である。図１３は、スマートフォン１１Ｃのタッチパネル１５に表示されたナビゲーションマップ表示画面の他の一例を示す図である。
【００８３】
子育て支援を選択することで各商業施設を検索する場合、図２のメニュー画面において子育て支援検索ボタン２ｂをタップする。子育て支援検索ボタン２ｂをタップすると、サーバ１２から子育て支援一覧がスマートフォン１１Ｃに送信され、図９に示す子育て支援検索画面がスマートフォン１１Ｃのタッチパネル１５に表示される。図９の子育て支援検索画面には、各種の子育て支援（支援情報）を表示した子育て支援選択エリア９ａ、子育て支援を入力する子育て支援入力エリア９ｂ、決定ボタン９ｃ、クリアボタン９ｄ、戻るボタン９ｅ、メニューボタン９ｆが表示される。
【００８４】
図９の子育て支援検索画面の子育て支援選択エリア９ａには、子育て支援として、「子供グッズイベント」、「子育て講習会」、「子育て相談会」、「子育て支援対策説明会」、「子供一時預かり」が表示されているが、子育て支援選択エリア９ａを下フリックまたはスワイプすることで、子育て支援選択エリア９ａが下方へスクロールし、その他の多数の子育て支援が表示される。子育て支援選択エリア９ａに表示された子育て支援以外に希望する子育て支援がある場合は、子育て支援入力エリア９ｂにその子育て支援を入力する。
【００８５】
女性は子育て支援選択エリア９ａから所定の子育て支援を選択し（図９では「子育て講習会」、「子育て支援対策説明会」、「子供一時預かり」を選択）、決定ボタン９ｃをタップすると、図１０に示すショッピングモール表示画面がスマートフォン１１Ｃのタッチパネル１５に表示される。図１０のショッピングモール表示画面には、図９の子育て支援検索画面において選択された子育て支援を表示した子育て支援表示エリア１０ａ、選択された子育て支援を実施する複数のショッピングモールを表示したショッピングモール表示エリア１０ｂ、戻るボタン１０ｃ、メニューボタン１０ｄが表示される。
【００８６】
ショッピングモール表示エリア１０ｂには、各ショッピングモールのショッピングモール名、各ショッピングモールの外観画像を表示したショッピングモール画像表示エリア１０ｅ（画像の図示は省略）、各ショッピングモールの地図や詳細データを表示させるデータ表示ボタン１０ｆが表示される。データ表示ボタン１０ｆの地図をタップすると、各ショッピングモールの地図（図示せず）がタッチパネル１５に表示される。ショッピングモール表示エリア１０ｂのショッピングモール名の右方には、認定マーク１６「BabyFriendly」が表示されている。図１０のショッピングモール表示エリア１０ｂを下フリックまたはスワイプすることで、ショッピングモール表示エリア１０ｂが下方へスクロールし、その他の多数のショッピングモールが表示される。
【００８７】
ショッピングモールの詳細データを表示するには、ショッピングモール表示エリア１０ｂに表示された所望のショッピングモールのデータ表示ボタン１０ｆの詳細データをタップする（図１０ではＡショッピングモールをタップ）。データ表示ボタン１０ｆの詳細データをタップすると、選択された子育て支援（支援情報）を実施するＡショッピングモール（商業施設）の詳細データ（施設情報）がサーバ１２からスマートフォン１１Ｃに送信される（施設情報送信手段）。スマートフォン１１Ｃは、選択された子育て支援（支援情報）を実施するＡショッピングモール（商業施設）の詳細データ（施設情報）をサーバ１２から受信し（施設情報受信手段）、Ａショッピングモール（商業施設）の詳細データ（施設情報）を表示した図１１に示すショッピングモール詳細データ表示画面をタッチパネル１５に表示する（施設情報表示手段）。
【００８８】
図１１のショッピングモール詳細データ表示画面には、Ａショッピングモールの各種基本データを表示した基本データ表示エリア１１ａ、Ａショッピングモールの各種サービスデータを表示したサービス表示エリア１１ｂ、Ａショッピングモールにおいて実施される子育て支援（支援情報）を表示した子育て支援表示エリア１１ｃ、ナビゲーションマップボタン１１ｄ、戻るボタン１１ｅ、メニューボタン１１ｆが表示される。基本データ表示エリア１１ａに表示された基本データは、図５の基本データ表示エリア５ａのそれらと同一であり、サービス表示エリア１１ｂに表示されたサービスは、図５のサービス表示エリア５ｂのそれらと同一である。子育て支援表示エリア１１ｃには、「子育て講習会」、「子育て支援対策説明会」、「子供一時預かり」とともに、詳細表示ボタン５ｇが表示される。
【００８９】
商業施設検索システム１０は、女性がスマートフォン１１Ｃを利用してショッピングモール（商業施設）の子育て支援（支援情報）の中から所定の子育て支援（支援情報）を選択したときに、選択された子育て支援を実施するショッピングモールの詳細データ（施設情報）をサーバ１２がスマートフォン１１Ｃに送信し、選択された子育て支援（支援情報）を実施するショッピングモールの詳細データをスマートフォン１１Ｃがサーバ１２から受信しつつ、そのショッピングモールの詳細データがスマートフォン１１Ｃに表示されるから、女性が所持するスマートフォン１１Ｃに所望の子育て支援を実施するショッピングモールを表示させることができ、ショッピングモールに出かける前に希望する子育て支援を実施するショッピングモールを自ら検索することができる。商業施設検索システム１０は、選択した子育て支援を実施するショッピングモールをスマートフォン１１Ｃにどこでもタイムリーに表示することができ、複数のショッピングモールの中から所望の子育て支援を実施するショッピングモールを探し出すことができる。
【００９０】
子育て支援の詳細データや実施料金を表示するには、子育て支援表示エリア１１ｃに表示された各子育て支援のうち、所定の子育て支援の詳細表示ボタン１１ｇをタップする（図１１では子育て講習会の詳細表示ボタン１１ｇをタップ）。詳細表示ボタン１１ｇをタップすると、選択された子育て支援の詳細データ（支援情報）や子育て支援の実施料金（実施料金情報）がサーバ１２からスマートフォン１１Ｃに送信される（支援情報送信手段）。スマートフォン１１Ｃは、選択された子育て支援の詳細データ（支援情報）や子育て支援の実施料金（実施料金情報）をサーバ１２から受信し（支援情報受信手段）、Ａショッピングモール（商業施設）において実施される子育て支援の詳細データ（支援情報）や子育て支援の実施料金（実施料金情報）を表示した図１２に示す子育て講習会詳細表示示画面をタッチパネル１５に表示する（支援情報表示手段）。
【００９１】
図１２の講習会詳細表示示画面には、各講習会表示エリア１２ａ〜１２ｃ、戻るボタン１２ｄ、メニューボタン１２ｅ、ナビゲーションマップボタン１２ｆが表示される。各講習会表示エリア１２ａ〜１２ｃには、各講習会の講習風景画像を表示した講習風景画像表示エリア１２ｇ（画像の図示は省略）が表示されるとともに、会場案内、講習期間、講習内容、講習料金（実施料金）等の詳細データ１２ｈ（支援情報、実施料金情報）が表示される。
【００９２】
商業施設検索システム１０は、子育て支援が有料の場合、その子育て支援の実施料金（実施料金情報）がスマートフォン１１Ｃに表示されるから、所持するスマートフォン１１Ｃを利用してショッピングモール（商業施設）が実施する子育て支援の実施料金を知ることができ、ショッピングモールにおける子育て支援の実施料金の高低を比較検討することができるとともに、子育て支援の実施料金を参酌しつつ廉価な実施料金で子育て支援を利用することが可能なショッピングモールを選ぶことができる。
【００９３】
Ａショッピングモールにおける各子育て支援の実施箇所を表示するには、図１１のショッピングモール詳細データ表示画面のナビゲーションマップボタン１１ｄまたは図１２の子育て講習会詳細表示画面のナビゲーションマップボタン１２ｆをタップする。ナビゲーションマップボタン１１ｄ，１２ｆをタップすると、Ａショッピングモールにおける各子育て支援の実施箇所を示すナビゲーションマップ（支援マップ情報）がサーバ１２からスマートフォン１１Ｃに送信される（支援情報送信手段）。スマートフォン１１Ｃは、ナビゲーションマップ（支援マップ情報）をサーバ１２から受信し（支援情報受信手段）、ナビゲーションマップ（支援マップ情報）を表示した図１３に示すナビゲーションマップ表示画面をタッチパネル１５に表示する（支援情報表示手段）。図１２のナビゲーションマップ表示画面には、Ａショッピングモールの全体図とともに、Ａショッピングモールにおいて実施される子育て支援（子育て講習会、子育て支援対策説明会、子供一時預かり）の実施箇所が表示される。
【００９４】
商業施設検索システム１０は、所望の子育て支援を実施するショッピングモール（商業施設）を探し出したときに、そのショッピングモールの子育て支援のナビゲーションマップ（支援マップ情報）がスマートフォン１１Ｃに表示されるから、所持するスマートフォン１１Ｃを利用してショッピングモールが実施する子育て支援の支援場所や支援場所までのルートを知ることができ、支援場所に迷わずに辿り着くことができる。
【００９５】
図１４は、スマートフォン１１Ｃのタッチパネル１５に表示された子供用設備選択画面の一例を示す図であり、図１５は、スマートフォン１１Ｃのタッチパネル１５に表示されたショッピングモール選択画面の一例を示す図である。子供用設備を備えたショッピングモール（商業施設）を検索する場合、図２のメニュー画面において子供用設備を備えたショッピングモール検索ボタン２ｃをタップする。ショッピングモール検索ボタン２ｃをタップすると、サーバ１２から子供用設備を備えたショッピングモール一覧がスマートフォン１１Ｃに送信され、図１４に示す子供用設備選択画面がスマートフォン１１Ｃのタッチパネル１５に表示される。
【００９６】
図１４の子供用設備選択画面には、子供用設備を選択する子供用設備選択エリア１４ａ、すべてのショッピングモールを表示したショッピングモール表示エリア１４ｂ、戻るボタン１４ｃ、メニューボタン１４ｄ、決定ボタン１４ｅ、クリアボタン１４ｆが表示される。図１４の子供用設備選択エリア１４ａを下フリックまたはスワイプすることで、子供用設備選択エリア１４ａが下方へスクロールし、その他の子供用設備が表示される。また、図１４のショッピングモール表示エリア１４ｂを下フリックまたはスワイプすることで、ショッピングモール表示エリア１４ｂが下方へスクロールし、その他のショッピングモールが表示される。
【００９７】
ショッピングモール表示エリア１４ｂには、各ショッピングモールのショッピングモール名、各ショッピングモールの外観画像を表示したショッピングモール画像表示エリア１４ｇ（画像の図示は省略）、各ショッピングモールの地図や詳細データを表示させるデータ表示ボタン１４ｈが表示される。ショッピングモール表示エリア１４ｂのショッピングモール名の右方には、認定マーク１６「BabyFriendly」が表示されている。
【００９８】
子供用設備選択エリア１４ａから所定の子供用設備を選択（反転）した後、決定ボタン１４ｅをタップすると、選択した子供用設備を備えたショッピングモールを表示した図１５に示すショッピングモール選択画面がスマートフォン１１Ｃのタッチパネル１５に表示される。図１５のショッピングモール選択画面には、図１４の子供用設備選択画面において選択された各種の子供用設備を表示した子供用設備表示エリア１５ａ、選択された子供用設備を備えた複数のショッピングモールを表示したショッピングモール選択エリア１５ｂ、戻るボタン１５ｃ、メニューボタン１５ｄが表示される。図１５の子供用設備表示エリア１５ａを下フリックまたはスワイプすることで、子供用設備表示エリア１５ａが下方へスクロールし、その他の子供用設備が表示される。また、図１５のショッピングモール選択エリア１５ｂを下フリックまたはスワイプすることで、ショッピングモール選択エリア１５ｂが下方へスクロールし、その他のショッピングモールが表示される。
【００９９】
ショッピングモール選択エリア１５ｂには、選択された子供用設備を備えた各ショッピングモールのショッピングモール名、各ショッピングモールの外観画像を表示したショッピングモール画像表示エリア１５ｅ（画像の図示は省略）、各ショッピングモールの地図や詳細データを表示させるデータ表示ボタン１５ｆが表示される。データ表示ボタン１５ｆの地図をタップすると、各ショッピングモールの地図（図示せず）がタッチパネル１５に表示される。ショッピングモール表示エリア１５ｂのショッピングモール名の右方には、認定マーク１６「BabyFriendly」が表示されている。
【０１００】
ショッピングモールの詳細データを表示する場合、ショッピングモール表示エリア１５ｂに表示された所望のショッピングモールのデータ表示ボタン１５ｆの詳細データをタップする（図１５ではＡショッピングモールをタップ）。データ表示ボタン１５ｆの詳細データをタップすると、図５と同様のショッピングモール詳細データ表示画面がタッチパネル１５に表示される。子供用設備の詳細データを表示する場合、子供用設備表示エリア５ｃに表示された各子供用設備のうち、所定の子供用設備の詳細表示ボタン５ｇをタップする（図５では屋内遊園地の詳細表示ボタン５ｇをタップ）。詳細表示ボタン５ｇをタップすると、図６と同様の屋内遊園地詳細表示画面がタッチパネル１５に表示される（設備情報表示手段）。
【０１０１】
屋内遊園地の遊具の使用料金を表示する場合、料金ボタン６ｌをタップする（図６ではミニＳＬ表示エリア６ｃの料金ボタン６ｌをタップ）。料金ボタン６ｌをタップすると、図７と同様の屋内遊園地料金表示画面がタッチパネル１５に表示される（設備情報表示手段）。Ａショッピングモールにおける各子供設備の所在箇所を表示する場合、図５のショッピングモール詳細データ表示画面のナビゲーションマップボタン５ｄまたは図６の屋内遊園地詳細表示画面のナビゲーションマップボタン６ｇをタップする。ナビゲーションマップボタン５ｄ，６ｇをタップすると、図８と同様のナビゲーションマップ表示画面がタッチパネル１５に表示される（設備情報表示手段）。
【０１０２】
商業施設検索システム１０は、女性がスマートフォン１１Ｃを利用して子供用設備を備えたショッピングモール（商業施設）の中から所定のショッピングモールを選択したときに、選択されたショッピングモールが備える子供用設備の詳細データ（設備情報）をサーバ１２がスマートフォン１１Ｃに送信し、選択されたショッピングモールが備える子供用設備の詳細データをスマートフォン１１Ｃがサーバ１２から受信しつつ、その子供用設備の詳細データを表示するから、スマートフォン１１Ｃを利用して女性が所望の子供用設備を備えたショッピングモールを探し出したときに、スマートフォン１１Ｃにその子供用設備の詳細データを表示させることができ、所持するスマートフォン１１Ｃを利用して女性が子供用設備の詳細を知ることができる。商業施設検索システム１０は、スマートフォン１１Ｃを介して子供用設備の詳細データ（設備情報）を見ることで、ショッピングモール（商業施設）に備えられた各種の子供用設備の使い易さや使い勝手等を比較検討することができ、子供用設備の使い易さや使い勝手等を参酌しつつ複数のショッピングモールの中から所定のショッピングモールを選ぶことができる。
【０１０３】
図１６は、スマートフォン１１Ｃのタッチパネル１５に表示された子育て支援選択画面の一例を示す図であり、図１７は、スマートフォン１１Ｃのタッチパネル１５に表示されたショッピングモール選択画面の他の一例を示す図である。子育て支援を実施するショッピングモール（商業施設）を検索する場合、図２のメニュー画面において子育て支援を実施するショッピングモール検索ボタン２ｄをタップする。ショッピングモール検索ボタン２ｄをタップすると、サーバ１２から子育て支援を実施するショッピングモール一覧がスマートフォン１１Ｃに送信され、図１６に示す子育て支援選択画面がスマートフォン１１Ｃのタッチパネル１５に表示される。
【０１０４】
図１６の子育て支援選択画面には、子育て支援を選択する子育て支援選択エリア１６ａ、すべてのショッピングモールを表示したショッピングモール表示エリア１６ｂ、戻るボタン１６ｃ、メニューボタン１６ｄ、決定ボタン１６ｅ、クリアボタン１６ｆが表示される。図１６の子育て支援選択エリア１６ａを下フリックまたはスワイプすることで、子育て支援選択エリア１６ａが下方へスクロールし、その他の子育て支援が表示される。また、図１６のショッピングモール表示エリア１６ｂを下フリックまたはスワイプすることで、ショッピングモール表示エリア１６ｂが下方へスクロールし、その他のショッピングモールが表示される。
【０１０５】
ショッピングモール表示エリア１６ｂには、各ショッピングモールのショッピングモール名、各ショッピングモールの外観画像を表示したショッピングモール画像表示エリア１６ｇ（画像の図示は省略）、各ショッピングモールの地図や詳細データを表示させるデータ表示ボタン１６ｈが表示される。ショッピングモール表示エリア１６ｂのショッピングモール名の右方には、認定マーク１６「BabyFriendly」が表示されている。
【０１０６】
子育て支援選択エリア１６ａから所定の子育て支援を選択（反転）した後、決定ボタン１６ｅをタップすると、選択した子育て支援を実施するショッピングモールを表示した図１７に示すショッピングモール選択画面がスマートフォン１１Ｃのタッチパネル１５に表示される。図１７のショッピングモール選択画面には、図１６の子育て支援選択画面において選択された各種の子育て支援を表示した子育て支援表示エリア１７ａ、選択された子育て支援を実施する複数のショッピングモールを表示したショッピングモール選択エリア１７ｂ、戻るボタン１７ｃ、メニューボタン１７ｄが表示される。図１７の子育て支援表示エリア１７ａを下フリックまたはスワイプすることで、子育て支援表示エリア１７ａが下方へスクロールし、その他の子育て支援が表示される。また、図１７のショッピングモール選択エリア１７ｂを下フリックまたはスワイプすることで、ショッピングモール選択エリア１７ｂが下方へスクロールし、その他の多数のショッピングモールが表示される。
【０１０７】
ショッピングモール選択エリア１７ｂには、選択された子育て支援を実施する各ショッピングモールのショッピングモール名、各ショッピングモールの外観画像を表示したショッピングモール画像表示エリア１７ｅ（画像の図示は省略）、各ショッピングモールの地図や詳細データを表示させるデータ表示ボタン１７ｆが表示される。データ表示ボタン１７ｆの地図をタップすると、各ショッピングモールの地図（図示せず）がタッチパネル１５に表示される。ショッピングモール表示エリア１７ｂのショッピングモール名の右方には、認定マーク１６「BabyFriendly」が表示されている。
【０１０８】
ショッピングモールの詳細データを表示する場合、ショッピングモール表示エリア１７ｂに表示された所望のショッピングモールのデータ表示ボタン１７ｆの詳細データをタップする（図１７ではＡショッピングモールをタップ）。データ表示ボタン１７ｆの詳細データをタップすると、図１１と同様のショッピングモール詳細データ表示画面がタッチパネル１５に表示される。子育て支援の詳細データを表示する場合、子育て支援表示エリア１１ｃに表示された各子育て支援のうち、所定の子育て支援の詳細表示ボタン１１ｇをタップする（図１１では子育て講習会の詳細表示ボタン１１ｇをタップ）。詳細表示ボタン１１ｇをタップすると、図１２と同様の子育て講習会詳細表示画面がタッチパネル１５に表示される（支援情報表示手段）。
【０１０９】
Ａショッピングモールにおいて実施される子育て講習会（子育て支援）の実施箇所を表示する場合、図１１のショッピングモール詳細データ表示画面のナビゲーションマップボタン１１ｄまたは図１２の子育て講習会詳細表示画面のナビゲーションマップボタン１２ｆをタップする。ナビゲーションマップボタン１１ｄ，１２ｆをタップすると、図１３と同様のナビゲーションマップ表示画面がタッチパネル１５に表示される（支援情報表示手段）。
【０１１０】
商業施設検索システム１０は、女性がスマートフォン１１Ｃを利用して子育て支援を実施するショッピングモール（商業施設）の中から所定のショッピングモールを選択したときに、選択されたショッピングモールが実施する子育て支援の詳細データ（支援情報）をサーバ１２がスマートフォン１１Ｃに送信し、選択されたショッピングモールが実施する子育て支援の詳細データをスマートフォン１１Ｃがサーバ１２から受信しつつ、その子育て支援の詳細データを表示するから、スマートフォン１１Ｃを利用して女性が所望の子育て支援を実施するショッピングモールを探し出したときに、スマートフォン１１Ｃにその子育て支援の詳細データを表示させることができ、所持するスマートフォン１１Ｃを利用して女性が子育て支援の詳細を知ることができる。商業施設検索システム１０は、スマートフォン１１Ｃを介して子育て支援の詳細データ（支援情報）を見ることで、ショッピングモール（商業施設）が実施する各種の子育て支援の支援内容や支援時間、支援実施者等を比較検討することができ、子育て支援の支援内容や支援時間、支援実施者等を参酌しつつ複数のショッピングモールの中から所定のショッピングモールを選ぶことができる。
【０１１１】
図１８は、スマートフォン１１Ｃのタッチパネル１５に表示された子供用設備料金指定画面の一例を示す図である。指定した使用料金で使用可能な子供用設備を備えたショッピングモール（商業施設）を検索する場合、図２のメニュー画面において子供用設備使用料金指定ボタン２ｅをタップする。子供用設備使用料金指定ボタン２ｅをタップすると、サーバ１２から子供用設備一覧がスマートフォン１１Ｃに送信され、図１８に示す子供用設備料金指定画面がスマートフォン１１Ｃのタッチパネル１５に表示される。
【０１１２】
図１８の子供用設備料金指定画面には、子供用設備の使用料金を指定する料金指定エリア１８ａ、有料・無料の子供用設備を表示した子供用設備表示エリア１８ｂ、決定ボタン１８ｃ、クリアボタン１８ｄ、戻るボタン１８ｅ、メニューボタン１８ｆが表示される。図１８の子供用設備表示エリア１８ｂを下フリックまたはスワイプすることで、子供用設備表示エリア１８ｂが下方へスクロールし、その他の子供用設備が表示される。
【０１１３】
料金指定エリア１８ａのうち、希望する金額の○の中にチェックマーク（●）を入れた後（図１８では制限なしの○の中にチェックマーク）、決定ボタン１８ｃをタップすると、指定した使用料金で使用可能な子供用設備を備えた複数のショッピングモールが表示された図４と同様のショッピングモール表示画面がスマートフォン１１Ｃのタッチパネル１５に表示される。この場合、図４の子供用設備表示エリア４ａには、屋内遊園地、インドアプレイグラウンド、屋内遊び場、キッズスペース、ベビーカー貸し出し、子供用ショッピングカート、授乳室が表示される。図４の子供用設備表示エリア４ａを下フリックまたはスワイプすることで、子供用設備表示エリア４ａが下方へスクロールし、その他の子供用設備が表示される。
【０１１４】
ショッピングモールの詳細データを表示するには、ショッピングモール表示エリア４ｂに表示された所望のショッピングモールのデータ表示ボタン４ｆの詳細データをタップする（図４ではＡショッピングモールをタップ）。データ表示ボタン４ｆの詳細データをタップすると、選択された子供用設備（設備情報）を備えたＡショッピングモール（商業施設）の詳細データ（施設情報）がサーバ１２からスマートフォン１１Ｃに送信される（施設情報送信手段）。スマートフォン１１Ｃは、選択された子供用設備（設備情報）を備えたＡショッピングモール（商業施設）の詳細データ（施設情報）をサーバ１２から受信し（施設情報受信手段）、Ａショッピングモール（商業施設）の詳細データ（施設情報）を表示した図５に示すショッピングモール詳細データ表示画面をタッチパネル１５に表示する（施設情報表示手段）。
【０１１５】
子供用設備の詳細データを表示するには、子供用設備表示エリア５ｃに表示された各子供用設備のうち、所定の子供用設備の詳細表示ボタン５ｇをタップする（図５では屋内遊園地の詳細表示ボタン５ｇをタップ）。詳細表示ボタン５ｇをタップすると、選択された子供用設備の詳細データ（設備情報）がサーバ１２からスマートフォン１１Ｃに送信される（設備情報送信手段）。スマートフォン１１Ｃは、選択された子供用設備の詳細データ（設備情報）をサーバ１２から受信し（設備情報受信手段）、Ａショッピングモール（商業施設）に備えられた子供用設備の詳細データ（設備情報）を表示した図６に示す屋内遊園地詳細表示示画面をタッチパネル１５に表示する（設備情報表示手段）。
【０１１６】
商業施設検索システム１０は、女性がスマートフォン１１Ｃを利用して子供用設備の使用料金を指定したときに、指定された使用料金で使用可能な子供用設備を備えたショッピングモール（商業施設）の詳細データ（施設情報）をサーバ１２がスマートフォン１１Ｃに送信し、指定された使用料金で使用可能な子供用設備を備えたショッピングモールの詳細データをスマートフォン１１Ｃがサーバ１２から受信しつつ、指定された使用料金で使用可能な子供用設備を備えたショッピングモールの詳細データを表示するから、女性が所持するスマートフォン１１Ｃに指定した使用料金で利用可能な子供用設備を備えたショッピングモールを表示させることができ、指定した使用料金で利用可能な子供用設備を備えたショッピングモールを検索することができるとともに、所望の使用料金で利用可能な子供用設備を備えたショッピングモールを探し出すことができる。
【０１１７】
商業施設検索システム１０は、女性がスマートフォン１１Ｃを利用して子供用設備の使用料金を指定したときに、指定された使用料金で使用可能なショッピングモール（商業施設）の子供用設備の詳細データ（設備情報）をサーバ１２がスマートフォン１１Ｃに送信し、指定された使用料金で使用可能な子供用設備の詳細データをスマートフォン１１Ｃがサーバ１２から受信しつつ、指定された使用料金で使用可能な子供用設備の詳細データを表示するから、女性が所持するスマートフォン１１Ｃに指定した使用料金で利用可能なショッピングモールの子供用設備を表示させることができ、指定した使用料金で利用可能なショッピングモールの子供用設備を検索することができるとともに、所望の使用料金で利用可能な子供用設備を探し出すことができる。
【０１１８】
図１９は、スマートフォン１１Ｃのタッチパネル１５に表示された子育て支援料金指定画面の一例を示す図である。指定した実施料金で子育て支援を実施するショッピングモール（商業施設）を検索する場合、図２のメニュー画面において子育て支援使用料金指定ボタン２ｆをタップする。子育て支援使用料金指定ボタン２ｆをタップすると、サーバ１２から子育て支援一覧がスマートフォン１１Ｃに送信され、図１９に示す子育て支援料金指定画面がスマートフォン１１Ｃのタッチパネル１５に表示される。
【０１１９】
図１９の子育て支援料金指定画面には、子育て支援の実施料金を指定する料金指定エリア１９ａ、有料・無料の子育て支援を表示した子育て支援表示エリア１９ｂ、決定ボタン１９ｃ、クリアボタン１９ｄ、戻るボタン１９ｅ、メニューボタン１９ｆが表示される。図１９の子育て支援表示エリア１９ｂを下フリックまたはスワイプすることで、子育て支援表示エリア１９ｂが下方へスクロールし、その他の子育て支援が表示される。
【０１２０】
料金指定エリア１９ａのうち、希望する金額の○の中にチェックマーク（●）を入れた後（図１９では０円の○の中にチェックマーク）、決定ボタン１９ｃをタップすると、指定した使用料金の子育て支援を実施する複数のショッピングモールが表示された図１０と同様のショッピングモール表示画面がスマートフォン１１Ｃのタッチパネル１５に表示される。この場合、図１０の子育て支援表示エリア１０ａには、０円で実施されるイベント、ショウ、相談会、子育て支援対策の説明会、子供一時預かりが表示される。図１０の子育て支援表示エリア１０ａを下フリックまたはスワイプすることで、子育て支援表示エリア１０ａが下方へスクロールし、その他の子育て支援が表示される。
【０１２１】
ショッピングモールの詳細データを表示するには、ショッピングモール表示エリア１０ｂに表示された所望のショッピングモールのデータ表示ボタン１０ｆの詳細データをタップする（図１０ではＡショッピングモールをタップ）。データ表示ボタン１０ｆの詳細データをタップすると、選択された子育て支援（支援情報）を実施するＡショッピングモール（商業施設）の詳細データ（施設情報）がサーバ１２からスマートフォン１１Ｃに送信される（支援情報送信手段）。スマートフォン１１Ｃは、選択された子育て支援（支援情報）を備えたＡショッピングモール（商業施設）の詳細データ（支援情報）をサーバ１２から受信し（支援情報受信手段）、Ａショッピングモール（商業施設）の詳細データ（施設情報）を表示した図１１に示すショッピングモール詳細データ表示画面をタッチパネル１５に表示する（支援情報表示手段）。
【０１２２】
子育て支援の詳細データを表示するには、子育て支援表示エリア１１ｃに表示された各子育て支援のうち、所定の子育て支援の詳細表示ボタン１１ｇをタップする（図１１では講習会の詳細表示ボタン１１ｇをタップ）。詳細表示ボタン１１ｇをタップすると、選択された子育て支援の詳細データ（支援情報）がサーバ１２からスマートフォン１１Ｃに送信される（支援情報送信手段）。スマートフォン１１Ｃは、選択された子育て支援の詳細データ（支援情報）をサーバ１２から受信し（支援情報受信手段）、Ａショッピングモール（商業施設）において実施される子育て支援の詳細データ（支援情報）を表示した図１２に示す子育て支援講習会詳細表示示画面をタッチパネル１５に表示する（支援情報表示手段）。
【０１２３】
商業施設検索システム１０は、女性がスマートフォン１１Ｃを利用して子育て支援の実施料金を指定したときに、指定された実施料金の子育て支援を実施するショッピングモール（商業施設）の詳細データ（施設情報）をサーバ１２がスマートフォン１１Ｃに送信し、指定された実施料金の子育て支援を実施するショッピングモールの詳細データをスマートフォン１１Ｃがサーバ１２から受信しつつ、指定された実施料金の子育て支援を実施するショッピングモールの詳細データを表示するから、女性が所持するスマートフォン１１Ｃに指定した実施料金で子育て支援を実施可能なショッピングモールを表示させることができ、指定した使用料金で子育て支援を実施可能なショッピングモールを検索することができるとともに、所望の実施料金で子育て支援を実施可能なショッピングモールを探し出すことができる。
【０１２４】
商業施設検索システム１０は、女性がスマートフォン１１Ｃを利用して子育て支援の実施料金を指定したときに、指定された実施料金で実施されるショッピングモール（商業施設）の子育て支援の詳細データ（支援情報）をサーバ１２がスマートフォン１１Ｃに送信し、指定された実施料金で実施されるショッピングモールの子育て支援の詳細データをスマートフォン１１Ｃがサーバ１２から受信しつつ、指定された実施料金で実施されるショッピングモールの子育て支援の支援情報を表示するから、女性が所持するスマートフォン１１Ｃに指定した実施料金で実施可能な子育て支援を表示させることができ、指定した実施料金で利用可能な子育て支援を検索することができるとともに、所望の実施料金で利用可能なショッピングモールの子育て支援を探し出すことができる。
【符号の説明】
【０１２５】
１０    商業施設検索システム
１１    携帯通信端末
１１Ａ  ノート型パソコン
１１Ｂ  タブレットＰＣ
１１Ｃ  スマートフォン
１１Ｄ  携帯電話
１２    サーバ
１３    サーバ
１４    インターネット
１５    タッチパネル
１６    認定マーク
【図１】
2017083932.tif 000003
【図２】
2017083932.tif 000004
【図３】
2017083932.tif 000005
【図４】
2017083932.tif 000006
【図５】
2017083932.tif 000007
【図６】
2017083932.tif 000008
【図７】
2017083932.tif 000009
【図８】
2017083932.tif 000010
【図９】
2017083932.tif 000011
【図１０】
2017083932.tif 000012
【図１１】
2017083932.tif 000013
【図１２】
2017083932.tif 000014
【図１３】
2017083932.tif 000015
【図１４】
2017083932.tif 000016
【図１５】
2017083932.tif 000017
【図１６】
2017083932.tif 000018
【図１７】
2017083932.tif 000019
【図１８】
2017083932.tif 000020
【図１９】
2017083932.tif 000021